(57)【要約】【課題】  簡便な操作によって、カメラ本体の向を変えずに横位置画面または縦位置画面を選択して撮影出来る電子式スチルカメラの提供。【解決手段】  カメラ本体内に取り付けられた撮像板に、横位置画面と縦位置画面のどちらでも露光出来る形状の撮像板（１）を設け、希望する画面を電気的な処理によって選択する為のスイッチ（３）をカメラ本体（２）に設け、このスイッチ（３）の切りかえ操作によってカメラ本体（２）の向を変えずに横位置画面または縦位置画面を選択して撮影する。【選択図】図４
2005086796.tif 000002
【特許請求の範囲】
【請求項１】
カメラ本体内に取り付けられた撮像板に、いわゆる横位置画面と縦位置画面のどちらでも露光出来る事を目的とした形状の撮像板（１）を用いて、カメラ本体（２）に設けられたスイッチ（３）の切りかえ操作によって、カメラ本体（２）の向を変えずに横位置画面または縦位置画面を選択して撮影出来る電子式スチルカメラ。
【発明の詳細な説明】
【技術分野】
【０００１】  本発明は、光電変換素子を利用した電子式スチルカメラに関するものである。
【背景技術】
【０００２】  従来、電子式スチルカメラの撮像板の寸法については数種類使用されている。露光範囲の寸法についても異なった製品が造られている。これらを使用した電子式スチルカメラは得られた画像の情報を、デジタル信号の形で扱う事により容易に特定の規格に合う様カメラ内で処理し、記録媒体に保存している。しかし、従来の撮像板の形状に関しては新しい工夫が無く、フィルム式スチルカメラに順じたものとなっている。露光範囲の形状は、プリントされる写真の形状を考慮した長方形となっておりその長辺と短辺の位置関係もフィルム式スチルカメラに順じている。
【発明の開示】
【発明が解決しようとする課題】
【０００３】  そのために、フィルム式スチルカメラと同様ないくつかの問題点をかかえている。例えば、カメラを横位置にかまえ撮影した場合の横方向の写真をあらわす横位置画面と縦位置にかまえ撮影した場合の縦方向の写真をあらわす縦位置画面とは、それぞれ視覚的効果が違う為、撮影時にどちらか選ぶ事が重要であるが、従来はこの横位置画面と縦位置画面を撮り分ける際に
（イ）その都度、カメラのホールディングを横位置用や縦位置用に変えなければならず各種の機能操作のしやすさも変わってしまう。
（ロ）三脚や一脚に取り付けている場合は、雲台等の操作を行いカメラ位置を設定しなおさなければならない。
別の例として、カメラを横位置にした状態で、クリップオンストロボがカメラレンズの光軸のほぼ真上になる様配置されている場合、
（ハ）横位置撮影では、ストロボ光による被写体の影が目立ちにい状態でも、縦位置にかまえなおして撮影すると、レンズの光軸とストロボ光の位置関係が変わってしまい左あるいは右側に横位置撮影時とは違った影が発生してしまう。
（ニ）カメラ一台分ほどの限定された幅の狭い場所では、横位置ではレンズ及びストロボ光とにも障害を受けずに撮影出来ても、縦位置にかまえなおして撮影すると、ストロボ光が左右の障害物に遮られてしまう等の不便を生じる。
他の映像媒体関連、例えばＴＶカメラやビデオカメラでは、撮影画面と表示画面の長手方向と短手方向の位置関係が固定されているのでこの様な問題は発生しないが、スチルカメラとプリントされる写真または印刷された写真との関係においては、記録や芸術等の分野を問わず主に構図から来る表現方法上、横位置画面と縦位置画面の撮り分けが重要な意味を持つ。そこで電子式スチルカメラの特質を生かし、例として述べた問題を解決し、より機能を向上させるのが本発明の目的で有る。
【課題を解決するための手段】
【０００４】  本発明の特徴は、カメラ本体内に取り付けられた撮像板の形状を、横位置画面，縦位置画面のどちらのフレーミングでも露光可能な図１正面図の様な形状の撮像板（１）とした点である。ここで適当な方法、例えば、カメラ本体（２）に横位置画面，縦位置画面の選択用のスイッチ（３）等を設けて、撮影者の操作に応じて電気的な処理を施せば、カメラ本体（２）が横位置に固定されていても横位置画面の撮影と縦位置画面の撮影とを切りかえる事が出来、例として述べた問題は解決される。カメラ本体（２）が縦位置に固定されている場合も同様である。
【発明の効果】
【０００５】  例として述べたスチルカメラの問題点を容易に解決する事が出来、横位置画面と縦位置画面の撮り分けに際して操作の簡便性，機動性が向上する。
特に、スチルカメラのホールディングしやすさに関しては、横位置にかまえた場合を基本にしている為、縦位置画面の撮影に際して、カメラ本体を横位置にかまえた状態で縦位置画面が撮影可能な本発明では、手の筋力の弱い高齢者や子供，女性等に従来よりも安定したスチルカメラ操作を提供出来る。
同様に、スチルカメラ底部の三脚取り付けネジ穴も横位置に設置する場合を基本にしている為、カメラ本体を横位置に設置した状態で縦位置画面が撮影可能な本発明では、手に障害の有る人等による雲台操作の負担を軽減出来る。
これらは、電子式スチルカメラ独自の機能としてフィルム式スチルカメラに対しての優位性を示すものとなり、今後の関連産業の発展に寄与する。
【発明を実施するための最良の形態】
【０００６】  従来の横位置画面を得る為の露光範囲をあらわした形状と、それを縦位置にした形状とを、それぞれの中心点を合わせ直角に交わる様重ねた形状が図１正面図であって、この形状の撮像板（１）、例えばＣＣＤをカメラ本体（２）内に設けて露光を与えると、横位置画面及び縦位置画面に相当する画像を同時に電荷の形で蓄積する事が出来る。
ここで、この蓄積された情報の内から横位置画面あるいは縦位置画面のどちらか撮影を希望する方の画面を、電気的な処理によって選択する為の適当な方法、例えば、カメラ本体（２）にスイッチ（３）等を設けて撮影者が操作する事により、カメラ本体（２）が横位置に固定されていても横位置画面の撮影と縦位置画面の撮影とを簡便に切りかえる事が出来る。カメラ本体（２）が縦位置に固定されている場合でも同様である。
横位置画面と縦位置画面のどちらを選択しているのかは、その範囲をモニター画面や電子式ビューファインダーあるいはスーパーインポーズ付きの光学式ビューファインダーへの表示をすることで確認する。表示の形態は問わないが、例えば、選択した画面範囲のみ表示すればフレーミングに集中しやすく、従来のスチルカメラと同様な使用感となる。別の例としては、選択範囲のフレームと露光可能な全範囲の画面を重ね合わせて表示すれば横位置画面と縦位置画面の切りかえに際しモニター画面あるいはビューファインダーから目を離さずに選んだ画面以外の状況も確認出来るので、シャッターチャンスに強い表示形式となる。
これらの表示は従来の技術で対応可能で、モニター画面や電子式ビューファインダーへの表示は、ＣＣＤより必要な画像情報のみ読み出し不要部分は表示しないよう内蔵マイクロコンピュータにプログラムしておけば良い、また光学式ビューファインダーへの表示には、選択された画面範囲を表示した透過タイプのＬＣＤ等と、光学画像との重ね合わせで可能である。画像情報の電気的な処理についても従来の技術で対応可能であり、カメラ本体（２）内に取り付けられた撮像板（１）の各画素に対応して割り振られたアドレス番号を使い、カメラ本体（２）に設けられたスイッチ（３）等で撮影者により選択され撮影された画面の範囲を内蔵マイクロコンピュータに認識させ、横位置画面と縦位置画面の切りかえに対応してアドレスの変換あるいは画像読み出し時のアドレス順番の変更をする等、内蔵マイクロコンピュータにプログラムしておけば良い。この様な方法により、記録媒体に送られる撮影画像のデータは従来の規格に合わせる事が可能である。
ここで、画像情報の読み出し形態は問わない。縦位置画面を選択した場合、横位置画面と縦位置画面が全て露光完了した後必要範囲だけ読み出したり、一旦全て読み出した後必要な情報を分けるのも良い。また次の露光に早くそなえる為不要な部分は初めからチャージしない様にしておくのも良い。横位置画面の場合も同様である。
なお図２正面図および図３正面図は、図１正面図の形状を効率よく含む事が出来る別の形状の例を示すものだが、撮像板の生産性から考えると図２正面図の形状も良い。またレンズのイメージサークルは円形となっているので、レンズから入って来る画像をより有効に活用するのに図３正面図の形状は向いている。例えば、撮影時に選択した画像範囲以外の良好な画像情報も組み合わせて記録する様な新規格案への発展性を持った形状で有る。
以上が、カメラ本体内に取り付けられた撮像板に、いわゆる横位置画面と縦位置画面のどちらでも露光出来る事を目的とした形状の撮像板（１）を用いて、カメラ本体（２）に設けられたスイッチ（３）の切りかえ操作によって、カメラ本体（２）の向を変えずに横位置画面または縦位置画面を選択して撮影出来る電子式スチルカメラの実施形態である。
【図面の簡単な説明】
【０００７】
【図１】  本発明における撮像板の基本的な形状の正面図を示している。
【図２】  図１の形状を効率よく含む事が出来る別形状の正面図の例を示している。
【図３】  図１の形状を効率よく含む事が出来る別形状の正面図の例を示している。
【図４】  本発明の電子式スチルカメラにクリップオンストロボを取り付け、全体を３ウエイ雲台に設置したところの斜視図である。
【符号の説明】
【０００８】      １  撮像板
２  カメラ本体
３  スイッチ
【図１】
2005086796.tif 000003
【図２】
2005086796.tif 000004
【図３】
2005086796.tif 000005
【図４】
2005086796.tif 000006